(57)【要約】 【課題】簡単な構成でありながら、全閉状態にある扉体の初期開放力を小さくする。【解決手段】扉体１の第１面部１０の下端部位に下側羽根１００を設ける。下側羽根１００は、上端側を回動支点として、鉛直姿勢と前記扉体の内側に向かう傾斜姿勢との間で回動可能であり、巻きバネ１０１によって鉛直姿勢が維持されており、下側羽根１００の下端側には下側気密部材Ｓ１が設けてあり、鉛直姿勢で下側気密部材Ｓ１が床面に圧接される。下側羽根１００の戸尻側には傾斜部１００Ａが形成されており、開口枠側には、扉全閉時に傾斜部１００Ａに対向してガイドローラ９２０が設けてあり、扉全閉時には、下側羽根１００が鉛直姿勢を維持した状態でガイドローラ９２０に傾斜部１００Ａが接触している。扉体の開放時に、傾斜部１００Ａがガイドローラ９２０に案内されて下側羽根１００が回動して、下側気密部材Ｓ１が床面から離れる。【選択図】図６
2010106594.tif 000002
【特許請求の範囲】
【請求項１】
開口部上方に設けたレールに対して左右方向に移動自在に吊持された扉体を備えた引戸の気密装置において、
前記扉体の一方の面部の下端部位には、前記扉体の幅方向に亘って延出する下側羽根が回動可能に設けられ、
前記下側羽根は、上端側を回動支点として、鉛直姿勢と前記扉体の内側に向かう傾斜姿勢との間で回動可能であると共に、付勢手段によって前記鉛直姿勢が維持されており、
前記下側羽根の下端側には下側気密部材が設けてあり、前記鉛直姿勢では、前記下側気密部材が床面に圧接されるようになっており、
前記下側羽根の戸尻側には、前記扉体の内側に向かって傾斜状に延出する傾斜部が形成されており、
開口枠側には、扉全閉時に前記傾斜部に対向するようにガイド体が設けてあり、扉全閉時には、前記下側羽根が前記鉛直姿勢を維持した状態で前記ガイド体に前記傾斜部が接触しており、
扉全閉時からの扉体の開放方向への移動時に、前記傾斜部が前記ガイド体に案内されて前記下側羽根が扉体の内側に向かって回動することで、前記下側気密部材が床面から離れるように構成されている、
引戸の気密装置。
【請求項２】
前記扉体の一方の面部の上端部位には、前記扉体の幅方向に亘って延出する上側羽根が回動可能に設けられ、
前記上側羽根は、下端側を回動支点として、鉛直姿勢と前記扉体の内側に向かう傾斜姿勢との間で回動可能であると共に、付勢手段によって前記鉛直姿勢が維持されており、
前記上側羽根の上端側には上側気密部材が設けてあり、前記鉛直姿勢では、前記上側気密部材が開口枠側に設けた被当接部に圧接されるようになっており、
前記上側羽根の戸尻側には、前記扉体の内側に向かって傾斜状に延出する傾斜部が形成されており、
開口枠側には、扉全閉時に前記傾斜部に対向するようにガイド体が設けてあり、扉全閉時には、前記上側羽根が前記鉛直姿勢を維持した状態で前記ガイド体に前記傾斜部が接触しており、
扉全閉時からの扉体の開放方向への移動時に、前記傾斜部が前記ガイド体に案内されて前記上側羽根が扉体の内側に向かって回動することで、前記上側気密部材が前記被当接部から離れるように構成されている、
請求項１に記載の引戸の気密装置。
【発明の詳細な説明】
【技術分野】
【０００１】
本発明は、引戸の気密装置に関するものである。
【背景技術】
【０００２】
引戸装置は、扉体を回動させることなく建物開口部を開閉することができ、扉装置として広く用いられている。ここで、上吊式引戸の場合には、機構上、扉体の下端と床面との間に所定の隙間が形成されるため、引戸の下部の気密性を保持したいという要望（例えば、病院等では空調や清浄性の維持確保のため、引戸において外気を遮断したいという要望がある）に応えるためには、この隙間を塞ぐ必要がある。
【０００３】
従来の気密装置は、引戸の扉体を閉鎖させる際に、開閉方向と直角を成す方向に扉体をオフセットさせて気密部材に密着させている。しかしながら、このものでは全閉時から扉体を開放する際の初動に必要な開放力が重くなってしまうという課題があった。特に、電動駆動の引戸においては、初動時のモータ負荷が大きくなり、モータサイズも扉体の重量に応じて大きくなってしまう。また、扉体のオフセット時に作動音が発生していた。
【０００４】
また、特許文献１、特許文献２には、その他の気密装置が開示されているが、いずれも気密装置の構成が複雑であるという不具合がある。また、特許文献１のものにおいては、下動板を押し下げる際に作動音が発生するという不具合がある。
【特許文献１】実開昭６３−１７４２９３
【特許文献２】特開２００８−６３７２７
【発明の開示】
【発明が解決しようとする課題】
【０００５】
本発明の目的は、簡単な構成でありながら、全閉状態にある扉体の初期開放力を小さくすることができる引戸の気密装置を提供することにある。
【課題を解決するための手段】
【０００６】
本発明が採用した技術手段は、
開口部上方に設けたレールに対して左右方向に移動自在に吊持された扉体を備えた引戸の気密装置において、
前記扉体の一方の面部の下端部位には、前記扉体の幅方向に亘って延出する下側羽根が回動可能に設けられ、
前記下側羽根は、上端側を回動支点として、鉛直姿勢と前記扉体の内側に向かう傾斜姿勢との間で回動可能であると共に、付勢手段(後述する実施形態ででは、巻きバネが例示されている)によって前記鉛直姿勢が維持されており、
前記下側羽根の下端側には下側気密部材が設けてあり、前記鉛直姿勢では、前記下側気密部材が床面に圧接されるようになっており、
前記下側羽根の戸尻側には、前記扉体の内側に向かって傾斜状に延出する傾斜部が形成されており、
開口枠側（後述する実施形態では、袖壁の方立の側面が例示されている）には、扉全閉時に前記傾斜部に対向するようにガイド体（後述する実施形態では、ガイドローラが例示されている）が設けてあり、扉全閉時には、前記下側羽根が前記鉛直姿勢を維持した状態で前記ガイド体に前記傾斜部が接触しており、
扉全閉時からの扉体の開放方向への移動時に、前記傾斜部が前記ガイド体に案内されて前記下側羽根が扉体の内側に向かって回動することで、前記下側気密部材が床面から離れるように構成されている、
引戸の気密装置、である。
【０００７】
１つの態様では、さらに、
前記扉体の一方の面部の上端部位には、前記扉体の幅方向に亘って延出する上側羽根が回動可能に設けられ、
前記上側羽根は、下端側を回動支点として、鉛直姿勢と前記扉体の内側に向かう傾斜姿勢との間で回動可能であると共に、付勢手段によって前記鉛直姿勢が維持されており、
前記上側羽根の上端側には上側気密部材が設けてあり、前記鉛直姿勢では、前記上側気密部材が開口枠側に設けた被当接部（後述する実施形態では、第５気密部材Ｓ５）に圧接されるようになっており、
前記上側羽根の戸尻側には、前記扉体の内側に向かって傾斜状に延出する傾斜部が形成されており、
開口枠側には、扉全閉時に前記傾斜部に対向するようにガイド体が設けてあり、扉全閉時には、前記上側羽根が前記鉛直姿勢を維持した状態で前記ガイド体に前記傾斜部が接触しており、
扉全閉時からの扉体の開放方向への移動時に、前記傾斜部が前記ガイド体に案内されて前記上側羽根が扉体の内側に向かって回動することで、前記上側気密部材が前記被当接部から離れるように構成されている。
【発明の効果】
【０００８】
本発明は、戸尻側に傾斜部を備えた回動自在の羽根とガイド体を用いた簡単な構成でありながら、全閉状態にある扉体の初期開放力を小さくすることができる。したがって、扉体を電動開放するものにおいては、モータの負荷が軽減され、消費電力も削減される。また、扉体の開閉時に作動音が生じることもない。
【０００９】
本発明は、扉全閉時には、気密部材を用いて気密性能を確保するものであるが、扉体が開放方向へ移動すると直ぐに、気密部材の圧接状態が解除されるので、気密部材の磨耗を減らすことができる。
【発明を実施するための最良の形態】
【００１０】
本発明の実施形態を図面に基づいて詳細に説明する。図１は扉閉鎖時における引戸装置の姿図、図２は図１における扉体の姿図、図３は図１における引戸装置の縦断面図である。引戸装置は扉体１を備え、扉体１は一方の縦枠２を戸先側、他方の縦枠３を戸尻側として、縦枠２、３間で左右方向に移動自在となっている。左右の縦枠２、３の上端間には上枠４が、下端間には下枠５が、それぞれ延設されている。扉体１は、第１面部１０、第２面部１１、戸先側端面１２、戸尻側端面１３、上面１４、下面１５と、を備えている。
【００１１】
図３、図４に示すように、上枠４の内部空間には、扉体１の移動方向に延出するレール６が設けてあり、扉体１は上端に設けたハンガーローラ７を介してレール６から吊持されており、ハンガーローラ７がレール６上を転動することで、扉体１は左右方向に移動自在となっている。また、上枠４の内部空間にはモータＭが設けてあり、扉体１はモータＭによって電動駆動される。１つの態様では、電動で全閉状態から扉体１を開放方向に移動させ、自閉装置あるいは扉体の自重を用いた手段（閉鎖方向に向かって下方に傾斜するレールとの組み合わせ）で扉体を閉鎖方向に移動させる。引戸の電動駆動機構は当業者によく知られているので、詳細な説明は省略する。尚、本発明に係る引戸装置は、電動駆動に限定されるものではなく、手動の引戸装置にも適用され得る。
【００１２】
下枠５は、その上面５０が床面と略面一となるように床面内に埋設されており、下枠５の上面５０が床面ないし沓摺となっている。図３、図４に示すように、扉体１の下面１５と上面５０との間には隙間が形成されている。
【００１３】
図１、図９、図１０に示すように、左右の縦枠２、３間には、戸尻側に位置して、扉体１の移動経路と平行して袖壁８が設けてある。袖壁８の幅方向の基端側は縦枠３に固定されており、袖壁８の先端側には方立９が立設されている。方立９は、縦枠２に対向する端面９０と、対向状の側面９１、９２とを備えている。袖壁８及び方立９の上端、下端は、それぞれ、上枠４、下枠５にまで達している。
【００１４】
戸先側の縦枠２、方立９、上枠４の戸先側半部、下枠５の戸先側半部が開口枠を形成しており、方立９の端面９０と縦枠２との間の空間が人の通行を許容する開口部となっており、扉体１が左右方向に移動することで、前記開口部を開閉する。図９、図１１（Ａ）に示すように、開口部閉鎖時には、扉体１の戸先側端面１２が縦枠２に形成された凹状の戸当り部２０に近接しており、扉体１の第１面部１０の戸尻側が方立９の一方の側面９２と近接対向している。開口部閉鎖時から扉体１が開放して行くと、扉体１の第１面部１０の戸尻側は方立９の側面９２から離れて袖壁８に対向するように戸尻側の縦枠３へ向かって移動する。図示の態様では、扉体１は、袖壁８に沿って収納されるようになっているが、扉体１を戸袋内に収納するように構成してもよい。
【００１５】
図５、図６、図９、図１０に示すように、第１面部１０の下端には、扉体１の幅方向に亘って延出する下側羽根１００が設けてあり、下側羽根１００は、上端側を回動支点として、第１面部１０の延出方向に沿った鉛直姿勢から扉体１の内側に向かう（第２面部１１に向かう）傾斜姿勢へ回動可能に設けてある。図９、図１０に示すように、下側羽根１００の長さ方向の一端側（戸尻側）には、扉体１の内側に向かって傾斜状に延出する傾斜部１００Ａが一体形成されている。下側羽根１００の下端には、傾斜部１００Ａを除いた長さ方向全体に亘って第１気密部材Ｓ１が設けてあり、第１気密部材Ｓ１の下端側は、下側羽根１００の下端よりも下方に延出している。
【００１６】
扉体全閉時には、図５に示すように、下側羽根１００は鉛直姿勢にあり、扉体開放時には、図６に示すように、扉体１の内側に傾斜した傾斜姿勢にある。方立９の扉体１側に位置する側面９２には、側面９２の戸先側（端面９０に近接する側）に位置して、扉体１の略全高さに亘って延出する第２気密部材Ｓ２が設けてある。扉体全閉時には、第１気密部材Ｓ１は第２気密部材Ｓ２の下端部および下枠５の上面５０に圧接されている。第１気密部材Ｓ１は主として扉体１と床面（下枠５の上面５０）との間の気密を確保している。
【００１７】
図５に示すように、下側羽根１００の上端側の回動部には付勢手段としての巻きバネ１０１が設けてあり、下側羽根１００は巻きバネ１０１によって外部から力が作用しない状態では鉛直姿勢に保持されており、気密部材Ｓ１が下枠５の上面５０に圧接される状態となっている。巻きバネ１０１は、第１面部１０の下端近傍に扉体１の幅方向に亘って設けたＬ形状の支持部材１０２の水平片１０２Ａの下面と、下側羽根１００の上側部位とに、それぞれ固定されている。すなわち、下側羽根１００は、巻きバネ１０１を介して支持部材１０２の水平片１０２Ａに対して回動可能に設けてある。支持部材１０２の垂直片１０２Ｂは第３気密部材Ｓ３を介して第１面部１０の裏面に固定されている。第３気密部材Ｓ３の下端は、水平片１０２Ａの下面よりもさらに下方に延出している。扉全閉時には、第３気密部材Ｓ３の延出部は下側羽根１００の上端部に接触している。こうすることで、扉全閉時における、下側羽根１００（第１面部１０とは別部材から形成されている）の回動部における気密を確保している。尚、第１面部１０の下方部位を板バネ材から構成することで、第１面部と下側羽根１００を一部材から一体的に形成してもよい。
【００１８】
方立９の側面９２の下方部位には、側面９２の戸尻側（端面９０から離間する側）に位置して、ガイドローラ９２０が水平姿勢で設けてある。図９に示すように、扉全閉時には、ガイドローラ９２０は下側羽根１００の傾斜部１００Ａの戸尻側に接している。この時、下側羽根１００は鉛直姿勢を維持した状態であり、第１気密部材Ｓ１は第２気密部材Ｓ２の下端部及び下枠５の上面５０に圧接されている（図５参照）。この状態から扉体１が開放されると、ガイドローラ９２０が傾斜部１００Ａを押圧しながら下側羽根１００を扉体の内側へ回動させ、下側羽根１００が回動して傾斜姿勢となることで、図６に示すように、第１気密部材Ｓ１が第２気密部材Ｓ２の下端部及び下枠５の上面５０から離間する。
【００１９】
図７、図８に示すように、第１面部１０の上端には、扉体１の幅方向に亘って延出する上側羽根１１０が設けてあり、上側羽根１１０は、下端側を回動支点として扉体１の内側に向かって回動可能に設けてある。上側羽根１１０の長さ方向の一端側（戸尻側）には、扉体の内側に向かって傾斜状に延出する傾斜部１１０Ａが一体形成されている。上側羽根１１０の上端には、傾斜部１１０Ａを除いた長さ方向全体に亘って第４気密部材Ｓ４が設けてある。
【００２０】
扉全閉時には、図７に示すように、上側羽根１１０は鉛直姿勢にあり、扉体開放時には、図８に示すように、扉体１の内側（第２面部１１側）に傾斜した傾斜姿勢にある。上枠４の下面４０と方立９の上面９３との間には、側面９２側に位置させて、扉体１の幅方向に亘って延出する第５気密部材Ｓ５が設けある。扉全閉時には、第４気密部材Ｓ４は第５気密部材Ｓ５に圧接されている。第４気密部材Ｓ４は主として扉体１と上枠４との間の気密を確保している。
【００２１】
上側羽根１１０の下端側の回動部には巻きバネ１１１が設けてあり、上側羽根１１０は巻きバネ１１１によって外部から力が作用しない状態では鉛直姿勢に保持されており、第４気密部材Ｓ４は第５気密部材Ｓ５に圧接されている。巻きバネ１１１は、第１面部１０の上端近傍に扉体の幅方向に亘って設けたＬ形状の支持部材１１２の水平片１１２Ａの上面と、上側羽根１１０の下端部位とに、それぞれ固定されている。すなわち、上側羽根１１０は、巻きバネ１１１を介して支持部材１１２の水平片１１２Ａに対して回動可能に設けてある。支持部材１１２の垂直片１１２Ｂは第６気密部材Ｓ６を介して第１面部１０の裏面に固定されている。第６気密部材Ｓ６の上端は、水平片１１２Ａの上面よりもさらに上方に延出している。開口部閉鎖時には、第６気密部材Ｓ６の延出部は上側羽根１１０の下端部に接触している。こうすることで、扉全閉時における、上側羽根１１０（第１面部１０とは別部材から形成されている）の回動部における気密を確保している。尚、第１面部１０の上方部位を板バネ材から構成することで、第１面部と上側羽根１１０を一部材から一体的に形成してもよい。
【００２２】
上枠４の下面４０の側面９２側に位置する立ち上がり部には、側面９２から突出するように、ガイドローラ９３０が設けてある。下側羽根１００とガイドローラ９２０の関係と同様に、扉全閉時には、ガイドローラ９３０は上側羽根１１０の傾斜部１１０Ａの戸尻側に接している。この時、上側羽根１１０は鉛直姿勢を維持した状態であり、第４気密部材Ｓ４は第５気密部材Ｓ５に圧接されている（図７参照）。この状態から扉体１が開放されると、ガイドローラ９３０が傾斜部１１０Ａを押圧しながら上側羽根１１０を扉体の内側へ回動させて行き、上側羽根１１０が回動して傾斜姿勢となることで、第４気密部材Ｓ４が第５気密部材Ｓ５から離間する（図８参照）。
【００２３】
ここまで、扉全閉時（開口部全閉時）における扉体１の上端側、下端側における気密構造について説明した。以下に、扉全閉時における扉体１の戸先側、戸尻側の気密構造について説明する。
【００２４】
戸先側縦枠２の凹状の戸当り部２０には高さ方向に延出する第７気密部材Ｓ７が設けてあり、扉全閉時には、扉体１の戸先側端面１２が第７気密部材Ｓ７に圧接するようになっている（図１１（Ａ）参照）。
【００２５】
扉体１の第１面部１０の戸尻側部位には扉体１の高さ方向に延出する当接部１６が設けてあり、扉全閉時には、当接部１６が第２気密部材Ｓ２に側方から圧接するようになっている（図１１（Ａ）参照）。
【００２６】
このように構成された引戸の気密構造において、扉全閉時（開口部全閉時）には、鉛直姿勢にある下側羽根１００に設けられた第１気密部材Ｓ１が第２気密部材Ｓ２の下端部及び下枠５の上面５０に圧接されている。鉛直姿勢にある上側羽根１１０に設けられた第４気密部材Ｓ４が第５気密部材Ｓ５に圧接されている。また、扉体１の戸先側端面１２が第７気密部材Ｓ７に圧接するようになっており、扉体１の当接部１６が第２気密部材Ｓ２に圧接されている。
【００２７】
扉全閉時（開口部全閉時）から扉体１を開放方向へ移動させると、下側羽根１００の戸尻側の傾斜部１００Ａがガイドローラ９２０に案内されて、下側羽根１００が扉体１の内側に向かって回動して傾斜姿勢となり、第１気密部材Ｓ１が第２気密部材Ｓ２の下端部及び下枠５の上面５０から離れる。同時に、上側羽根１１０の傾斜部１１０Ａがガイドローラ９３０に案内されて、上側羽根１１０が扉体１の内側に向かって回動して傾斜姿勢となり、第４気密部材Ｓ４が第５気密部材Ｓ５から離れる。また、扉体１の戸先側端面１２は第７気密部材Ｓ７から離間し、扉体１の当接部１６は第２気密部材Ｓ２から離間する。扉体１が開放方向に少し移動して、下側羽根１００及び上側羽根１１０が扉体１の内側へ回動すると、第１気密部材Ｓ１が第２気密部材Ｓ２の下端部及び下枠５の上面５０から離れ、第４気密部材Ｓ４が第５気密部材Ｓ５から離れるので、扉体１の初期開放力が小さくてすむ。また、同時に、第１気密部材Ｓ１、第４気密部材Ｓ４、第５気密部材Ｓ５の磨耗を減らすことができる。
【産業上の利用可能性】
【００２８】
本発明は、気密性が要求される引戸装置に用いることができる。
【図面の簡単な説明】
【００２９】
【図１】扉閉鎖時における引戸装置の姿図である。
【図２】図１における扉体の姿図である。
【図３】図１における引戸装置の縦断面図である。
【図４】扉体開放時における引戸装置の縦断面図である。
【図５】図３の下方部位の部分拡大図である。
【図６】図４の下方部位の部分拡大図である。
【図７】図３の上方部位の部分拡大図である。
【図８】図４の上方部位の部分拡大図である。
【図９】図１における引戸装置の横断面図である。
【図１０】扉体開放時における引戸装置の横断面図である。
【図１１】（Ａ）扉全閉時における引戸装置の横断面図である。（Ｂ）扉体開放時における引戸装置の横断面図である。
【符号の説明】
【００３０】
１  扉体
１００  下側羽根
１００Ａ  傾斜部
１０１  巻きバネ
１１０  上側羽根
１１０Ａ  傾斜部
１１１  巻きバネ
９２０、９３０  ガイドローラ
Ｓ１〜Ｓ７  気密部材
【図１】
2010106594.tif 000003
【図２】
2010106594.tif 000004
【図３】
2010106594.tif 000005
【図４】
2010106594.tif 000006
【図５】
2010106594.tif 000007
【図６】
2010106594.tif 000008
【図７】
2010106594.tif 000009
【図８】
2010106594.tif 000010
【図９】
2010106594.tif 000011
【図１０】
2010106594.tif 000012
【図１１】
2010106594.tif 000013